(57)【要約】【課題】防汚性及び洗浄性に優れたゴルフボールの提供。【解決手段】  ゴルフボールは、その表面に複数のディンプル１２と、ランド１４とを有する。このゴルフボールはさらに、ディンプル及びランドの表面に形成された多数の微小突起１８を有する。これらの微小突起１８の平均ピッチＰavは、１００μｍ未満である。これらの微小突起１８の平均高さＨavは０．５μｍ以上５０μｍ以下である。このゴルフボールは、下記の数式を満たす。    Ｌav ＜ ３ ・ Ｔav上記数式において、Ｌavは微小突起１８とこの微小突起１８に隣接する他の微小突起１８との間の距離Ｌの平均値を表し、Ｔavはこれらの微小突起の幅Ｔの平均値を表す。【選択図】図２
2018033478.tif 000002
【特許請求の範囲】
【請求項１】
複数のディンプルと、ランドとを備えたゴルフボールであって、
上記ディンプル及び／又は上記ランドの表面に形成された多数の微小突起をさらに備えており、
上記微小突起の平均ピッチＰavが１００μｍ未満であるゴルフボール。
【請求項２】
上記微小突起の平均高さＨavが０．５μｍ以上５０μｍ以下である請求項１に記載のゴルフボール。
【請求項３】
下記数式を満たす請求項１又は２に記載のゴルフボール。
Ｌav ＜ ３ ・ Ｔav
（上記数式において、Ｌavは上記微小突起とこの微小突起に隣接する他の微小突起との間の距離Ｌの平均値を表し、Ｔavは上記微小突起の幅Ｔの平均値を表す。）
【請求項４】
複数の列を有しており、それぞれの列において複数の微小突起が等ピッチで並んでいる請求項１から３のいずれかに記載のゴルフボール。
【請求項５】
本体とこの本体の外側に位置するペイント層とを有しており、
上記微小突起が上記本体の表面形状が反映された形状を有する請求項１から４のいずれかに記載のゴルフボール。
【発明の詳細な説明】
【技術分野】
【０００１】
本発明は、ゴルフボールに関する。詳細には、本発明は、その表面にディンプルを有するゴルフボールに関する。
【背景技術】
【０００２】
ゴルフボールは、その表面に多数のディンプルを備えている。ディンプルは、ゴルフボールの空力特性を高める。
【０００３】
ディンプルと共に、微小な突起又は微小な凹みを有するゴルフボールが提案されている。この突起及び凹みは、空力特性、スピン性能、外観、製造容易性等に寄与しうる。
【０００４】
特開２０１５−１４２５９９公報には、粗さが大きなペイント層を有するゴルフボールが開示されている。この粗さは、ブラスト処理等によって形成されうる。このペイント層は、ゴルフボールの空力特性を高める。
【先行技術文献】
【特許文献】
【０００５】
【特許文献１】特開２０１５−１４２５９９公報
【発明の概要】
【発明が解決しようとする課題】
【０００６】
ゴルフクラブで打撃されたゴルフボールは、空中を飛行する。このゴルフボールは落下し、地面を転がる。落下時及び転がり時に、ゴルフボールは地面と接触する。この接触により、ゴルフボールの表面に土が付着し、この表面が汚れることがある。ゴルフボールがフェアウェイやラフにあるとき、プレーヤーはゴルフボールを触ることができない。従ってプレーヤーは、ゴルフボールの汚れを除去できない。グリーンの上では、プレーヤーはゴルフボールの汚れを除去できる。しかし、この除去の作業は手間である。作業によっても汚れが十分には除去できないこともある。水で洗われても汚れが除去されないこともある。汚れが残ったゴルフボールは、交換される。交換は、プレーヤーに経済的な負担を強いる。
【０００７】
特開２０１５−１４２５９９公報に開示されたゴルフボールは、ペイント層の粗さが大きいので、土が付着しやすい。このゴルフボールの防汚性は、十分ではない。このゴルフボールが水で洗われても、土が除去されにくい。このゴルフボールの洗浄性は、十分ではない。
【０００８】
本発明の目的は、防汚性及び洗浄性に優れたゴルフボールの提供にある。
【課題を解決するための手段】
【０００９】
本発明に係るゴルフボールは、複数のディンプルと、ランドとを備える。このゴルフボールは、ディンプル及び／又はランドの表面に形成された多数の微小突起をさらに備える。これらの微小突起の平均ピッチＰavは、１００μｍ未満である。
【００１０】
好ましくは、微小突起の平均高さＨavは、０．５μｍ以上５０μｍ以下である。
【００１１】
好ましくは、ゴルフボールは、下記数式を満たす。
Ｌav ＜ ３ ・ Ｔav
この数式において、Ｌavは微小突起とこの微小突起に隣接する他の微小突起との間の距離Ｌの平均値を表し、Ｔavは微小突起の幅Ｔの平均値を表す。
【００１２】
ゴルフボールは、複数の列を有しうる。好ましくは、それぞれの列において、複数の微小突起が等ピッチで並んでいる。
【００１３】
ゴルフボールは、本体とこの本体の外側に位置するペイント層とを有しうる。好ましくは、微小突起は、本体の表面形状が反映された形状を有する。
【発明の効果】
【００１４】
本発明に係るゴルフボールが落下したとき又は地面を転がったとき、土等の粒子が微小突起とこれに隣接する微小突起との間に入り込みにくい。このゴルフボールでは、粒子が微小突起とのみ接触する。この粒子とゴルフボールとの接触面積は、小さい。このゴルフボールは、汚れにくい。
【００１５】
微小突起とこれに隣接する微小突起との間には、水滴も入りにくい。従って、微小突起の表面が汚れたときでも、水で洗われると、この水が汚れを取り込んで流れる。このゴルフボールでは、汚れが除去されやすい。
【図面の簡単な説明】
【００１６】
【図１】図１は、本発明の一実施形態に係るゴルフボールが示された一部切り欠き断面図である。
【図２】図２は、図１のゴルフボールの一部が示された拡大断面図である。
【図３】図３は、図１のゴルフボールの表面の一部が示された拡大斜視図である。
【図４】図４は、図１のゴルフボールの一部が示された拡大断面図である。
【図５】図５は、図４のＶ−Ｖ線に沿った断面図である。
【図６】図６は、図１のゴルフボールの一部が示された拡大断面図である。
【発明を実施するための形態】
【００１７】
以下、適宜図面が参照されつつ、好ましい実施形態に基づいて本発明が詳細に説明される。
【００１８】
図１に示されたゴルフボール２は、球状のコア４と、このコア４の外側に位置する中間層６と、この中間層６の外側に位置するカバー８とを備えている。コア４、中間層６及びカバー８は、ゴルフボール２の本体１０に含まれる。このゴルフボール２は、その表面に多数のディンプル１２を有している。ゴルフボール２の表面のうちディンプル１２以外の部分は、ランド１４である。図１には示されていないが、このゴルフボール２はさらに、後述されるペイント層を有している。ペイント層は、本体１０の外側に位置している。本体１０が、ワンピース構造を有してもよい。本体１０が、ツーピース構造、フォーピース構造、ファイブピース構造等を有してもよい。
【００１９】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。本実施形態に係るゴルフボール２では、その直径は、４２．７ｍｍである。
【００２０】
このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２１】
コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２２】
コア４のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２３】
コア４のゴム組成物が、充填剤、硫黄、加硫促進剤、硫黄化合物、老化防止剤、着色剤、可塑剤及び分散剤のような添加剤を含んでもよい。ゴム組成物が、カルボン酸又はカルボン酸塩を含んでもよい。ゴム組成物が、合成樹脂粉末又は架橋されたゴム粉末を含んでもよい。
【００２４】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が、２以上の層を有してもよい。コア４が、その表面にリブを有してもよい。コア４が中空であってもよい。
【００２５】
中間層６は、樹脂組成物からなる。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジウムイオンが例示される。
【００２６】
アイオノマー樹脂に代えて、中間層６の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００２７】
中間層６の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００２８】
中間層６の厚みは０．２ｍｍ以上が好ましく、０．３ｍｍ以上が特に好ましい。中間層６の厚みは２．５ｍｍ以下が好ましく、２．２ｍｍ以下が特に好ましい。中間層６の比重は０．９０以上が好ましく、０．９５以上が特に好ましい。中間層６の比重は１．１０以下が好ましく、１．０５以下が特に好ましい。中間層６が、２以上の層を有してもよい。
【００２９】
カバー８は、樹脂組成物から成形されている。この樹脂組成物の好ましい基材ポリマーは、アイオノマー樹脂である。アイオノマー樹脂を含むカバー８を有するゴルフボール２は、反発性能に優れる。中間層６に関して前述されたアイオノマー樹脂が、カバー８に用いられうる。
【００３０】
アイオノマー樹脂に代えて、カバー８の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００３１】
カバー８の樹脂組成物が、着色剤、充填剤、分散剤、酸化防止剤、紫外線吸収剤、光安定剤、蛍光剤、蛍光増白剤等を適量含んでもよい。ゴルフボール２の色相が白である場合、典型的な着色剤は二酸化チタンである。
【００３２】
カバー８の厚みは０．２ｍｍ以上が好ましく、０．４ｍｍ以上がより好ましく、０．６ｍｍ以上が特に好ましい。カバー８の厚みは２．５ｍｍ以下が好ましく、２．２ｍｍ以下が特に好ましい。カバー８の比重は０．９０以上が好ましく、０．９５以上が特に好ましい。カバー８の比重は１．１０以下が好ましく、１．０５以下が特に好ましい。
【００３３】
図２には、ディンプル１２の中心及びゴルフボール２の中心を通過する平面に沿った、ゴルフボール２の断面が示されている。図２における上下方向は、ディンプル１２の深さ方向である。図２において二点鎖線１６で示されているのは、仮想球である。仮想球１６の表面は、ディンプル１２及び微小突起（後に詳説）が存在しないと仮定されたときのゴルフボール２の表面である。仮想球１６の直径は、ゴルフボール２の直径と同一である。ディンプル１２は、仮想球１６の表面から凹陥している。ランド１４は、仮想球１６の表面と一致している。
【００３４】
図２において矢印Ｄｍで示されているのは、ディンプル１２の直径である。それぞれのディンプル１２の直径Ｄｍは、２．０ｍｍ以上６．０ｍｍ以下が好ましい。図２において両矢印Ｄｐで示されているのは、ディンプル１２の深さである。この深さＤｐは、ディンプル１２の最深部と仮想球１６の表面との距離である。深さＤｐは０．１０ｍｍ以上０．６５ｍｍ以下が好ましい。
【００３５】
ディンプル１２の面積ｓは、無限遠からゴルフボール２の中心を見た場合の、ディンプル１２の輪郭に囲まれた領域の面積である。円形ディンプル１２の場合、面積Ｓは下記数式によって算出される。
S = (Dm / 2)２ * π
【００３６】
本発明では、全てのディンプル１２の面積Ｓの合計の、仮想球１６の表面積に対する比率は、占有率と称される。十分な乱流化が得られるとの観点から、占有率Ｓｏは７５％以上が好ましい。占有率は、９５％以下が好ましい。
【００３７】
十分な占有率が達成されるとの観点から、ディンプル１２の総数Ｎは２５０個以上が好ましい。個々のディンプル１２が乱流化に寄与しうるとの観点から、総数Ｎは４５０個以下が好ましい。
【００３８】
本発明において「ディンプルの容積」とは、仮想球１６の表面とディンプル１２の表面とに囲まれた部分の容積を意味する。飛行中のゴルフボール２のホップが抑制されるとの観点から、ディンプル１２の総容積は４５０ｍｍ３以上が好ましい。飛行中のゴルフボール２のドロップが抑制されるとの観点から、総容積は７５０ｍｍ３以下が好ましい。
【００３９】
図３は、図１のゴルフボール２の表面の一部が示された拡大斜視図である。図３から明らかなように、このゴルフボール２は、その表面に多数の微小突起１８を備えている。図２から明らかなように、微小突起１８は、ディンプル１２の表面に形成されており、かつ、ランド１４の表面にも形成されている。それぞれの微小突起１８は、ゴルフボール２の半径方向外向きに起立している。微小突起１８が、ディンプル１２の表面のみに形成されもよい。微小突起１８が、ランド１４の表面のみに形成されてもよい。
【００４０】
図３には、第一列Ｉに属する３つの微小突起１８ａと、第二列IIに属する３つの微小突起１８ｂとが示されている。図３において矢印Ａで示される方向は、列の延在方向である。それぞれの列において、微小突起１８は、等ピッチで並んでいる。換言すれば、微小突起１８は規則的に並んでいる。ゴルフボール２の表面の一部において、微小突起１８が不規則に並んでもよい。
【００４１】
第一列Ｉに属する微小突起１８ａと第二列IIに属する微小突起１８ｂとが、ジグザグに配置されてもよい。換言すれば、第一列Ｉに属する微小突起１８ａの位置が、延在方向Ａにおいて、第二列IIに属する微小突起１８ｂの位置とずれてもよい。
【００４２】
図４は、図１のゴルフボール２の一部が示された拡大断面図である。図４には、本体１０の一部であるカバー８と、ペイント層２０とが示されている。図４には、微小突起１８が示されている。カバー８は、凸部２２を有している。微小突起１８は、この凸部２２とペイント層２０とによって形成されている。凸部２２がゴルフボール２の半径方向外向き（図４における上向き）に起立しているので、微小突起１８もゴルフボール２の半径方向外向きに起立している。換言すれば、微小突起１８は、本体１０（カバー８）の表面形状が反映された形状を有する。図４において符号２４で示されているのは、微小突起１８の底面である。
【００４３】
図５は、図４のＶ−Ｖ線に沿った断面図である。図５には、微小突起１８の底面２４が示されている。底面２４は、カバー８とペイント層２０とを含んでいる。
【００４４】
図３において矢印Ｐで示されているのは、ピッチである。ピッチＰは、第一の微小突起１８と、この第一の微小突起１８に隣接する第二の微小突起１８との距離である。ピッチＰは、第一の微小突起１８の底面２４の重心と、第二の微小突起１８の底面２４の重心との距離である。「第一の微小突起に隣接する第二の微小突起」とは、第一の微小突起１８の周辺に存在する微小突起１８のうち、第一の微小突起１８との距離が最も小さい微小突起１８である。この「距離」は、微小突起１８の底面２４の重心同士の距離である。
【００４５】
それぞれの微小突起１８に、１つのピッチＰが決定される。全ての微小突起１８のピッチＰが合計され、この合計が微小突起１８の数で除されることにより、平均ピッチＰavが算出される。平均ピッチＰavは、１００μｍ未満が好ましい。平均ピッチＰavが１００μｍ未満であるゴルフボール２には、土の粒子が付着しにくい。このゴルフボール２は、防汚性に優れている。平均ピッチＰavが１００μｍ未満であるゴルフボール２では、微小突起１８とこれに隣接する微小突起１８との間に、水滴が入りにくい。従って、微小突起１８の表面が汚れたときでも、水で洗われると、この水が汚れを取り込んで流れる。このゴルフボール２は、洗浄性に優れる。防汚性及び洗浄性の観点から、平均ピッチＰavは９５μｍ以下がより好ましく、８０μｍ以下が特に好ましい。微小突起１８に異物が付着しにくいとの観点から、平均ピッチＰavは１０μｍ以上が好ましく、１５μｍ以上がより好ましく、２０μｍ以上が特に好ましい。
【００４６】
図３において矢印Ｌで示されているのは、第一の微小突起１８とこの第一の微小突起１８に隣接する第二の微小突起１８との間の距離である。距離Ｌの方向は、ピッチＰの方向と同じである。
【００４７】
それぞれの微小突起１８に、１つの距離Ｌが決定される。全ての微小突起１８の距離Ｌが合計され、この合計が微小突起１８の数で除されることにより、平均距離Ｌavが算出される。土の粒子が付着しにくいとの観点から、平均距離Ｌavは１０μｍ以上が好ましく、１５μｍ以上がより好ましく、２０μｍ以上が特に好ましい。洗浄性の観点から、平均距離Ｌavは８０μｍ以下が好ましく、７５μｍ以下がより好ましく、７０μｍ以下が特に好ましい。
【００４８】
図５には、第一の微小突起１８ｃの底面２４ｃと共に、二点鎖線にて、第二の微小突起１８ｄの底面２４ｄも示されている。第二の微小突起１８ｄは、第一の微小突起１８ｃに隣接している。図５において二点鎖線２６で示されているのは、第一の微小突起１８ｃの底面２４ｃの重心Ｏｃと、第二の微小突起１８ｄの底面２４ｄの重心Ｏｄとを通過する直線である。図５において矢印Ｔで示されているのは、第一の微小突起１８ｃの幅である。幅Ｔは、直線２６に沿って測定される。幅Ｔは、直線２６のうち底面２４ｃの輪郭に含まれる部分の距離である。
【００４９】
図６には、第一の微小突起１８ｃの底面２４ｃと共に、二点鎖線にて、第二の微小突起１８ｅの底面２４ｅも示されている。第二の微小突起１８ｅは、第一の微小突起１８ｃに隣接している。図６において二点鎖線２８で示されているのは、第一の微小突起１８ｃの底面２４ｃの重心Ｏｃと、第二の微小突起１８ｅの底面２４ｅの重心Ｏｅとを通過する直線である。図６において矢印Ｔで示されているのは、第一の微小突起１８ｃの幅である。幅Ｔは、直線２８に沿って測定される。幅Ｔは、直線２８のうち底面２４ｃの輪郭に含まれる部分の距離である。図６に示された幅Ｔは、図５に示された幅Ｔよりも大きい。
【００５０】
図５に示された第一の微小突起１８ｃと第二の微小突起１８ｄとの距離は、図６に示された第一の微小突起１８ｃと第二の微小突起１８ｅとの距離と等しい。第一の微小突起１８ｃは、２つの第二の微小突起１８ｄ，１８ｅと隣接する。従って、第一の微小突起１８ｃは、複数の幅Ｔを有しうる。この場合、最も大きい幅Ｔが、第一の微小突起１８ｃの幅として採用される。
【００５１】
それぞれの微小突起１８に、１つの幅Ｔが決定される。全ての微小突起１８の幅Ｔが合計され、この合計が微小突起１８の数で除されることにより、平均幅Ｔavが算出される。土の粒子が付着しにくいとの観点から、平均幅Ｔavは１０μｍ以上が好ましく、１５μｍ以上がより好ましく、２０μｍ以上が特に好ましい。底面２４が汚れにくいとの観点から、平均幅Ｔavは６０μｍ以下が好ましく、５０μｍ以下がより好ましく、４０μｍ以下が特に好ましい。
【００５２】
このゴルフボール２は、下記数式を満たす。
Ｌav ＜ ３ ・ Ｔav
このゴルフボール２では、微小突起１８の密度が高い。このゴルフボール２には、土の粒子が付着しにくい。従ってこのゴルフボール２は、防汚性及び洗浄性に優れる。防汚性及び洗浄性の観点から、ゴルフボール２が下記数式を満たすことが好ましい。
Ｌav ≦ ２ ・ Ｔav
ゴルフボール２が下記数式を満たすことが、好ましい。
Ｌav ＞ Ｔav
【００５３】
図４において矢印Ｈで示されているのは、微小突起１８の高さである。高さＨは、ゴルフボール２の半径方向に沿って測定される。全ての微小突起１８の高さＨが合計され、この合計が微小突起１８の数で除されることにより、平均高さＨavが算出される。土の粒子が付着しにくいとの観点から、平均高さＨavは０．５μｍ以上が好ましく、１．０μｍ以上がより好ましく、２．０μｍ以上が特に好ましい。ゴルフボール２の飛行性能の観点から、平均高さＨavは５０μｍ以下が好ましく、４０μｍ以下がより好ましく、３０μｍ以下が特に好ましい。
【００５４】
土の粒子が付着しにくいとの観点から、底面２４の平均面積は１００μｍ２以上が好ましく、２２５μｍ２以上がより好ましく、４００μｍ２以上が特に好ましい。底面２４が汚れにくいとの観点から、平均面積は３６００μｍ２以下が好ましく、２５００μｍ２以下がより好ましく、１６００μｍ２以下が特に好ましい。
【００５５】
土の粒子が付着しにくいとの観点から、全ての微小突起１８の底面２４の総面積の、仮想球１６の表面積に対する比率は、５％以上が好ましく、１５％以上がより好ましく、２０％以上が特に好ましい。底面２４が汚れにくいとの観点から、この比率は８０％以下が好ましく、６０％以下がより好ましく、５０％以下が特に好ましい。
【００５６】
防汚性及び洗浄性の観点から、微小突起１８の総数は５００個以上が好ましく、１０００個以上がより好ましく、２０００個以上が特に好ましい。防汚性の観点から、この総数は５０００００個以下が好ましく、３０００００個以下がより好ましく、１０００００個以下が特に好ましい。
【００５７】
前述の通り、微小突起１８は、本体１０の凸部２２とペイント層２０とを含んでいる（図４参照）。従って、ペイント層２０が本体１０から剥離しても、微小突起１８の形状が概ね維持される。この微小突起１８の形成に、特殊なペイントは必要ない。このゴルフボール２は、容易に製造されうる。
【００５８】
このゴルフボール２では、微小突起１８の物理的作用により、汚染が防止される。従って、防汚の目的で特殊な化学的性質を有するカバー８及びペイント層２０が採用される必要は、ない。
【００５９】
本体１０の凸部２２は、本体１０の成形時に同時に成形される。この成形には、成形型が用いられる。この成形型のキャビティ面は、多数の微小な凹部を有している。それぞれの凹部は、凸部２２の形状がほぼ反転した形状を有する。この成形型は、マスター型から得られうる。このマスター型の製作方法の一例として、エッチングが挙げられる。エッチング時に、多数の微小なマスキングが用いられる。マスキングにより、マスター型に凸部が形成される。マスター型の凸部により、成形型に凹部が形成される。マスキングの位置は、マスター型の凸部の位置に相当し、成形型の凹部の位置に相当し、ゴルフボール２の微小突起１８の位置に相当する。エッチング以外の種々の方法で、マスター型が製作されうる。エッチング以外の方法として、レーザー照射加工が例示される。
【００６０】
前述の通り、微小突起１８はディンプル１２の表面に形成されており、かつ、ランド１４の表面にも形成されている（図２参照）。この微小突起１８は、ディンプル１２の汚染を防止し、かつランド１４の汚染も防止する。
【００６１】
図２−６に示された微小突起１８の形状は、概ね四角柱である。ゴルフボール２が、他の形状の微小突起を有してもよい。他の形状として、四角柱以外の角柱、円柱、角錐台、円錐台、角錐及び円錐が例示される。微小突起の形状が、球の一部であってもよい。微小突起が、複数の立体が組み合わされた形状を有してもよい。
【実施例】
【００６２】
以下、実施例によって本発明の効果が明らかにされるが、この実施例の記載に基づいて本発明が限定的に解釈されるべきではない。
【００６３】
［実施例１］
１００質量部のハイシスポリブタジエン（ＪＳＲ社の商品名「ＢＲ−７３０」）、２５．５質量部のアクリル酸亜鉛、１２質量部の酸化亜鉛、適量の硫酸バリウム、０．５質量部のジフェニルジスルフィド、０．９質量部のジクミルパーオキサイド、０．１質量部の２−ナフタレンチオール及び２質量部の安息香酸を混練し、ゴム組成物を得た。このゴム組成物を共に半球状キャビティを備えた上型及び下型からなる金型に投入し、１６０℃で２０分間加熱して、直径が３８．７ｍｍであるコアを得た。所定の質量のコアが得られるように、硫酸バリウムの量を調整した。
【００６４】
２６質量部のアイオノマー樹脂（三井デュポンポリケミカル社の商品名「ハイミランＡＭ７３３７」）、２６質量部の他のアイオノマー樹脂（三井デュポンポリケミカル社の商品名「ハイミランＡＭ７３２９」）、４８質量部のスチレンブロック含有熱可塑性エラストマー（三菱化学社の商品名「ラバロンＴ３２２１Ｃ」）、４質量部の二酸化チタン及び０．２質量部の光安定剤（城北化学工業社の商品名「ＪＦ−９０」）を二軸混練押出機で混練し、樹脂組成物を得た。この樹脂組成物を射出成形法にてコアの周りに被覆し、中間層を形成した。この中間層の厚みは、１．０ｍｍであった。
【００６５】
５５質量部のアイオノマー樹脂（三井デュポンポリケミカル社の商品名「ハイミランＡＭ７３２９」）、４５質量部の他のアイオノマー樹脂（三井デュポンポリケミカル社の商品名「ハイミラン１５５５」）、４質量部の二酸化チタン及び０．２質量部の光安定剤（城北化学工業社の商品名「ＪＦ−９０」）を二軸混練押出機で混練し、樹脂組成物を得た。それぞれが半球状キャビティを備え、キャビティ面に多数のピンプル及び微小凹部を備えた上型及び下型からなるファイナル金型に、コア及び中間層からなる球体を投入した。樹脂組成物を射出成形法にて中間層の周りに被覆し、カバーを形成した。このカバーの厚みは、１．０ｍｍであった。カバーには、ピンプルの形状が反転した形状を有するディンプルが形成された。カバーにはさらに、微小凹部の形状が反転した形状を有する微小な凸部が形成された。
【００６６】
このカバーの周りに二液硬化型ポリウレタンを基材とするクリアー塗料を塗装し、直径が約４２．７ｍｍであり質量が約４５．６ｇである実施例１のゴルフボールを得た。このゴルフボールは、表面に多数の微小突起を有している。これらの微小突起の仕様が、下記の表１に示されている。
【００６７】
［実施例２及び６−８並びに比較例１］
ファイナル金型を変更し、下記の表１−２に示される平均ピッチＰａ、平均距離Ｌａ及び平均幅Ｔａを有する微小突起を形成した他は実施例１と同様にして、実施例２及び６−８並びに比較例１のゴルフボールを得た。
【００６８】
［実施例３−５］
ファイナル金型を変更し、下記の表１に示される平均高さＨａを有する微小突起を形成した他は実施例１と同様にして、実施例３−５のゴルフボールを得た。
【００６９】
［比較例２］
ファイナル金型を変更し、微小突起を形成しなかった他は実施例１と同様にして、比較例２のゴルフボールを得た。
【００７０】
［防汚性］
各実施例及び各比較例に係るゴルフボールを、土と一緒にバケツに投入し、この土をかき混ぜた。その後のゴルフボールの汚れの程度を、下記の基準に従って格付けした。
Ａ：汚れが極めて少ない
Ｂ：汚れが少ない
Ｃ：汚れが多い
Ｄ：汚れが極めて多い
この結果が、下記の表１及び２に示されている。
【００７１】
［洗浄性］
上記防汚性の評価に供したゴルフボールを、水と一緒にバケツに投入し、この水をかき混ぜた。その後のゴルフボールの汚れの程度を、下記の基準に従って格付けした。
Ａ：汚れが極めて少ない
Ｂ：汚れが少ない
Ｃ：汚れが多い
Ｄ：汚れが極めて多い
この結果が、下記の表１及び２に示されている。
【００７２】
【表１】
2018033478.tif 000003
【００７３】
【表２】
2018033478.tif 000004
【００７４】
表１及び２に示されるように、各実施例のゴルフボールは、防汚性及び洗浄性に優れている。この評価結果から、本発明の優位性は明らかである。
【産業上の利用可能性】
【００７５】
前述の微小突起は、スリーピースゴルフボールのみならず、ワンピースゴルフボール、ツーピースゴルフボール、フォーピースゴルフボール、ファイブピースゴルフボール、シックスピースゴルフボール、糸巻きゴルフボール等、様々な構造を有するゴルフボールに適用されうる。
【符号の説明】
【００７６】
２・・・ゴルフボール
４・・・コア
６・・・中間層
８・・・カバー
１０・・・本体
１２・・・ディンプル
１４・・・ランド
１６・・・仮想球
１８・・・微小突起
２０・・・ペイント層
２２・・・凸部
２４・・・底面
【図１】
2018033478.tif 000005
【図２】
2018033478.tif 000006
【図３】
2018033478.tif 000007
【図４】
2018033478.tif 000008
【図５】
2018033478.tif 000009
【図６】
2018033478.tif 000010